(57)【特許請求の範囲】
【請求項１】
電池容器の表面から突出する一対の端子を有する複数の電池と、
前記端子の先端部に接続され、複数の前記電池を電気的に接続する接続部材と、
前記接続部材に熱的に接続される熱伝導部材と、
を備えた組電池において、
前記熱伝導部材は、前記接続部材の電池容器側の表面に、電池容器側に突出し、前記端子を挟み込むように複数形成された状態で接続され、設けられていることを特徴とする組電池。
【請求項２】
前記端子と前記接続部材とは、前記接続部材の反電池容器側で接続されていることを特徴とする請求項１に記載の組電池。
【請求項３】
一対の前記端子は、それぞれ異なる材料からなり、
前記接続部材は、一対の前記端子を構成するそれぞれの材料と同一の材料を電気的に接続して構成され、
前記端子と前記接続部材とは、互いに同一の材料同士が溶接によって接続されていることを特徴とする請求項１又は２のいずれか１項に記載の組電池。
【請求項４】
前記接続部材は、反電池容器側に、一対の前記端子を構成するそれぞれの材料と同一の材料がともに露出していることを特徴とする請求項３に記載の組電池。
【請求項５】
前記熱伝導部材は、前記接続部材の電池容器側の表面を構成する材料と同一の材料からなり、溶接又はろう付けによって接続されていることを特徴とする請求項１〜４のいずれか１項に記載の組電池。
【請求項６】
互いに対向する前記熱伝導部材及び前記電池容器の表面の少なくとも一方に絶縁部を有することを特徴とする請求項１〜５のいずれか１項に記載の組電池。
【請求項７】
複数の前記電池は、車両に搭載されていることを特徴とする請求項１〜６のいずれか１項に記載の組電池。
【発明の詳細な説明】
【技術分野】
【０００１】
本発明は、複数の電池を接続部材によって電気的に接続した組電池に関する。特に、接続部材に、熱伝導部材が熱的に接続されている組電池に関する。
【背景技術】
【０００２】
近年、自動車駆動用の電源として、高出力、高エネルギー容量であるリチウム電池やニッケル電池が実用化されている。これらの電池は、電極体と、端子と、電池容器とを備えている。そして、複数個組合わされ、組電池として用いられる。自動車駆動用として組電池が使用される場合、激しい充放電が繰返されることとなる。そのため、化学反応に伴う電極体の発熱によって温度が上昇し、電池の性能が劣化してしまう可能性があった。
【０００３】
従来、このような温度上昇を抑えることができる組電池として、例えば特許文献１に開示されている組電池がある。この組電池は、複数の単位電池と、複数のバスバーとから構成されている。単位電池の上面からは、一対の端子部材が突出している。複数の単位電池は、厚さ方向に積層されている。積層方向に隣接する単位電池は、バスバーによって電気的に接続されている。バスバーの上面には、冷却フィンが形成されている。そして、単位電池の上面に沿って積層方向に冷媒を流すことで、電極体で発生した熱が端子部材及びバスバーを介して冷媒へと放熱される。これにより、組電池の温度上昇を抑えることができる。
【特許文献１】特開２００５−７１６７４号公報
【発明の開示】
【発明が解決しようとする課題】
【０００４】
ところで、単位電池は、バスバーによって電気的に接続されている。例えば、バスバーは、溶接によって端子部材に接続されている。溶接による単位電池への熱的影響を抑えるため、本体部分から離れた端子部材の上方端部に溶接されている。この場合、作業スペース等の関係から、上方側から溶接されることとなる。しかし、バスバーの上面には、冷却フィンが形成されている。そのため、上方側からの溶接が難しいという問題があった。これに対し、作業スペースを確保するために、冷却フィンを部分的に削除することも考えられる。しかし、冷却性能が低下してしまうという問題があった。
【０００５】
本発明はこのような事情に鑑みてなされたものであり、熱伝導性能を低下させることなく、接続部材の組付け性を向上させることができる組電池を提供することを目的とする。
【課題を解決するための手段及び発明の効果】
【０００６】
そこで、本発明者は、この課題を解決すべく鋭意研究し試行錯誤を重ねた結果、熱伝導部材を接続部材の電池容器側の表面に設けることで、熱伝導性能を低下させることなく、接続部材の組付け性を向上させるとともに、組電池を小型化できることを思いつき、本発明を完成するに至った。
【０００７】
すなわち、請求項１に記載の組電池は、電池容器の表面から突出する一対の端子を有する複数の電池と、端子の先端部に接続され、複数の電池を電気的に接続する接続部材と、接続部材に熱的に接続される熱伝導部材と、を備えた組電池において、熱伝導部材は、接続部材の電池容器側の表面に、電池容器側に突出し、端子を挟み込むように複数形成された状態で接続され、設けられていることを特徴とする。
【０００８】
この構成によれば、接続部材は、端子の先端部に接続される。熱伝導部材は、接続部材の電池容器側に設けられている。そのため、端子と接続部材とを接続する場合、反電池容器側に充分な作業スペースを確保することができる。従って、従来のように、作業スペースを確保するために、反電池側に設けられた熱伝導部材を部分的に削除する必要もない。これにより、熱伝導性能を低下させることなく、接続部材の組付け性を向上させることができる。また、熱伝導部材が、接続部材の電池容器側に設けられることから、従来のように、反電池容器側に設けられる場合に比べ、端子突出方向の寸法を小さくすることができる。そのため、組電池を小型化することもできる。
【０００９】
請求項２に記載の組電池は、請求項１に記載の組電池において、端子と接続部材とは、接続部材の反電池容器側で接続されていることを特徴とする。この構成によれば、接続部材の反電池容器側から、端子と接続部材とを電気的に接続することができる。
【００１０】
請求項３に記載の組電池は、請求項１又は２のいずれか１項に記載の組電池において、一対の端子は、それぞれ異なる材料からなり、接続部材は、一対の端子を構成するそれぞれの材料と同一の材料を電気的に接続して構成され、端子と接続部材とは、互いに同一の材料同士が溶接によって接続されていることを特徴とする。この構成によれば、同一の材料同士で溶接が行われることとなる。そのため、端子と接続部材とを容易に溶接でき、確実に電気的に接続することができる。
【００１１】
請求項４に記載の組電池は、請求項３に記載の組電池において、接続部材は、反電池容器側に、一対の端子を構成するそれぞれの材料と同一の材料がともに露出していることを特徴とする。この構成によれば、接続部材の反電池容器側から、端子と接続部材とを同一材料同士で容易に溶接することができる。
【００１２】
請求項５に記載の組電池は、請求項１〜４のいずれか１項に記載の組電池において、熱伝導部材は、接続部材の電池容器側の表面を構成する材料と同一の材料からなり、溶接又はろう付けによって接続されていることを特徴とする。この構成によれば、同一の材料同士で溶接又はろう付けが行われることとなる。そのため、熱伝導部材を接続部材に容易に溶接又はろう付けでき、確実に熱的に接続することができる。
【００１３】
請求項６に記載の組電池は、請求項１〜５のいずれか１項に記載の組電池において、互いに対向する熱伝導部材及び電池容器の表面の少なくとも一方に絶縁部を有することを特徴とする。この構成によれば、電池容器を介した短絡を防止することができる。
【００１４】
請求項７に記載の組電池は、請求項１〜６のいずれか１項に記載の組電池において、複数の電池は、車両に搭載されていることを特徴とする。この構成によれば、車両に搭載される組電池において、熱伝導性能を低下させることなく、接続部材の組付け性を向上させるとともに、小型化することができる。
【発明を実施するための最良の形態】
【００１５】
次に、実施形態を挙げ、本発明をより詳しく説明する。本実施形態では、本発明に係る組電池を、自動車等の車両に搭載されるリチウムイオン電池からなる組電池に適用した例を示す。
【００１６】
まず、図１〜図３を参照して組電池の構成について説明する。ここで、図１は、本実施形態における組電池の斜視図である。図２は、図１に対してバスバー及び冷却フィンが接続されていない状態の組電池の斜視図である。図３は、図１における端子周辺の拡大部分断面図である。なお、図中における前後方向、左右方向及び上下方向は、組電池を説明するために便宜的に導入したものである。また、図中における白抜き矢印は、冷媒の流通方向を示すものである。
【００１７】
図１に示すように、組電池１は、複数の電池１０と、バスバー１１〜１３（接続部材）と、冷却フィン（熱伝導部材）１４〜１６とから構成されている。
【００１８】
図２に示すように、電池１０は、リチウムを吸蔵、放出可能な正極及び負極と、電解質塩を非水溶媒に溶解してなる非水電解液とを、アルミニウムからなる直方体状のケース１００（電池容器）に密封して構成されている。正極は、アルミニウムからなる正極集電体と、その表面に形成される正極活物質層とから構成されている。負極は、銅からなる負極集電体と、その表面に形成される負極活物質層とから構成されている。電池１０は、ケース１００の上面から上方に突出する一対の端子である正極端子１０１（端子）と負極端子１０２（端子）とを備えている。
【００１９】
正極端子１０１は、正極を外部に電気的に接続するためのアルミニウムからなる板状の部材である。正極端子１０１は、正極集電体に溶接されるため、正極集電体と同一材料であるアルミニウムによって構成されている。負極端子１０２は、負極を外部に電気的に接続するための銅からなる板状の部材である。負極端子１０２は、負極集電体に溶接されるため、負極集電体と同一材料である銅によって構成されている。複数の電池１０は、一対の端子を結ぶ方向を左右方向に揃えた状態で、前後方向及び左右方向に並設されている。前後方向に並設される電池１０は、正極端子１０１と負極端子１０２とが、互いに前後方向に対向するように配置されている。また、左右方向に並設される電池１０は、正極端子１０１と負極端子１０２とが、互いに左右方向に対向するように配置されている。
【００２０】
図１に示すように、バスバー１１は、組電池１の左右方向の中央に配設され、左右方向に並設された電池１０間を電気的に直列接続するための金属からなる長方形板状の部材である。バスバー１１は、第１板部１１０と、第２板部１１１とから構成されている。
【００２１】
第１板部１１０は、正極端子１０１と同一材料であるアルミニウムからなる左右方向に長い長方形板状の部位である。第２板部１１１は、負極端子１０２と同一材料である銅からなり、前後方向の寸法が第１板部１１０と同一で、左右方向の寸法が第１板部１１０より短い長方形板状の部位である。第２板部１１１は、第１板部１１０の板厚方向上方に積層された状態で接合され、電気的に接続されている。具体的には、第１板部１１０と第２板部１１１とは、アルミニウムと銅とを圧延又は鍛造により圧接接合したクラッド材で構成されている。これにより、バスバー１１の上面側に、第１板部１１０と第２板部１１１とがともに露出することとなる。つまり、バスバー１１の上面側に、正極端子１０１と同一材料であるアルミニウムと、負極端子１０２と同一材料である銅とがともに露出することとなる。バスバー１１には、左右方向に所定間隔をあけ、正極端子１０１及び負極端子１０２が嵌合する長方形状の孔部１１２、１１３が形成されている。
【００２２】
冷却フィン１４は、バスバー１１のケース１００側の表面である下面に配設され、熱を効率的に放熱するための金属からなる波板状の部材である。冷却フィン１４は、バスバー１１の下面側を形成する第１板部１１０と同一材料であるアルミニウムによって構成されている。冷却フィン１４は、波状に成形された両端部を右方及び左方に向け、左右方向に延在した状態で、抵抗溶接やレーザー溶接又はろう付け等によってバスバー１１の下面に溶接又はろう付けされ、熱的に接続されている。また、図１及び図３に示すように、ケース１００と対向する冷却フィン１４の下面及び左右方向両端部には、絶縁部１４０が形成されている。一方、冷却フィン１４と対向するケース１００の上面にも絶縁部１０３が形成されている。
【００２３】
冷却フィン１４の配設されたバスバー１１は、図３に示すように、孔部１１２、１１３に正極端子１０１及び負極端子１０２の上方端部を嵌合させた状態で、上方側から、抵抗溶接やレーザー溶接等によってそれぞれ溶接され、電気的に接続されている。バスバー１１の上方側には、アルミニウムからなる第１板部１１０と、銅からなる第２板部１１１とがともに露出している。ともにアルミニウムからなる第１板部１１０と正極端子１０１の上方先端部とは、バスバー１１の上方側で溶接されている。第１板部１１０の上面であって正極端子１０１の上方端部周辺には、溶接部１１４が形成されている。また、ともに銅からなる第２板部１１１と負極端子１０２の上方先端部とは、バスバー１１の上方側で溶接されている。第２板部１１１の上面であって負極端子１０２の上方端部周辺には、溶接部１１５が形成されている。
【００２４】
ところで、冷却フィン１４は、バスバー１１の下面に配設されている。そのため、バスバー１１の上方側には何も配設されておらず、充分な作業スペースがある。これにより、バスバー１１と正極端子１０１及び負極端子１０２とを上方側から確実に溶接することができる。
【００２５】
図１に示すように、バスバー１２は、組電池１の右方に配置され、前後方向に並設された電池１０間を電気的に直列接続するための金属からなる長方形板状の部材である。バスバー１２は、第１板部１２０と、第２板部１２１とから構成されている。
【００２６】
第１板部１２０は、正極端子１０１と同一材料であるアルミニウムからなる左右方向に長い長方形状の部位である。第２板部１２１は、負極端子１０２と同一材料である銅からなり、前後方向の寸法が第１板部１２０の１／２で、左右方向の寸法が第１板部１２０と同一である長方形板状の部位である。第２板部１２１は、第１板部１２０の板厚方向上方に積層された状態で、抵抗溶接やレーザー溶接等によって接合され、電気的に接続されている。具体的には、第１板部１２０と第２板部１２１とは、アルミニウムと銅とを圧延又は鍛造により圧接接合したクラッド材で構成されている。これにより、バスバー１２の上面側に、正極端子１０１と同一材料であるアルミニウムと、負極端子１０２と同一材料である銅とがともに露出することとなる。バスバー１２には、前後方向に所定間隔をあけ、正極端子１０１及び負極端子１０２が嵌合する長方形状の孔部１２２、１２３が形成されている。
【００２７】
冷却フィン１５は、バスバー１２のケース１００側の表面である下面に配設され、熱を効率的に放熱するための金属からなる波板状の部材である。冷却フィン１５は、バスバー１２の下面側を形成する第１板部１２０と同一材料であるアルミニウムによって構成されている。冷却フィン１５は、波状に成形された両端部を右方及び左方に向け、左右方向に延在した状態で、抵抗溶接やレーザー溶接又はろう付け等によってバスバー１２の下面に溶接又はろう付けされ、熱的に接続されている。また、ケース１００と対向する冷却フィン１５の下面及び左右方向両端部には、絶縁部１５０が形成されている。さらに、冷却フィン１５と対向するケース１００の上面にも絶縁部１０３が形成されている。
【００２８】
冷却フィン１５の配設されたバスバー１２は、バスバー１１と同様に、孔部１２２、１２３に正極端子１０１及び負極端子１０２の上方端部を嵌合させた状態で、上方側からそれぞれ溶接され、電気的に接続されている。
【００２９】
バスバー１３は、組電池１の左方に配置され、前後方向に並設された電池１０間を電気的に直列接続するための金属からなる長方形板状の部材である。バスバー１３は、第１板部１３０と、第２板部１３１とから構成されている。
【００３０】
第１板部１３０は、正極端子１０１と同一材料であるアルミニウムからなるバスバー１２の第１板部１２０に比べ左右方向の長さが短い長方形状の部位である。第２板部１３１は、負極端子１０２と同一材料である銅からなり、前後方向の寸法が第１板部１３０の１／２で、左右方向の寸法が第１板部１３０と同一である長方形板状の部位である。第２板部１３１は、第１板部１３０の板厚方向上方に積層された状態で、抵抗溶接やレーザー溶接等によって接合され、電気的に接続されている。具体的には、第１板部１３０と第２板部１３１とは、アルミニウムと銅とを圧延又は鍛造により圧接接合したクラッド材で構成されている。これにより、バスバー１３の上面側に、正極端子１０１と同一材料であるアルミニウムと、負極端子１０２と同一材料である銅とがともに露出することとなる。バスバー１３には、前後方向に所定間隔をあけ、正極端子１０１及び負極端子１０２が嵌合する長方形状の孔部１３２、１３３が形成されている。
【００３１】
冷却フィン１６は、バスバー１３のケース１００側の表面である下面に配設され、熱を効率的に放熱するための金属からなる波板状の部材である。冷却フィン１６は、バスバー１３の下面側を形成する第１板部１３０と同一材料であるアルミニウムによって構成されている。冷却フィン１６は、波状に成形された両端部を右方及び左方に向け、左右方向に延在した状態で、抵抗溶接やレーザー溶接又はろう付け等によってバスバー１３の下面に溶接又はろう付けされ、熱的に接続されている。また、ケース１００と対向する冷却フィン１６の下面及び左右方向両端部には、絶縁部１６０が形成されている。さらに、冷却フィン１６と対向するケース１００の上面にも絶縁部１０３が形成されている。
【００３２】
冷却フィン１６の配設されたバスバー１３は、バスバー１１と同様に、孔部１３２、１３３に正極端子１０１及び負極端子１０２の上方端部を嵌合させた状態で、上方側からそれぞれ溶接され、電気的に接続されている。
【００３３】
次に、図１を参照して組電池の冷却動作について説明する。図１に示す組電池１は、車両内における使用に伴って激しい充放電が繰返される。そのため、電池１０内部の発熱によって温度が上昇する。組電池１は、冷媒によって冷却されている。具体的には、白抜き矢印で示すように、ケース１００の上面に沿って左方から右方に向かって流れる冷媒としての空気によって、正極端子１０１及び負極端子１０２、並びに、バスバー１１〜１３が冷却されている。バスバー１１〜１３の下面には、冷却フィン１４〜１６が熱的に接続されている。そのため、電池１０内部で発生した熱を、正極端子１０１及び負極端子１０２並びにバスバー１１〜１３を介して冷媒に放熱することができる。さらに、冷却フィン１４〜１６を介して効率的に冷媒に放熱することができる。なお、冷却フィン１４〜１６は、冷媒が流れる左右方向に延在している。そのため、冷媒の流れを妨げることなく、放熱することができる。
【００３４】
次に、図４〜図７を参照して組電池の温度の測定結果に説明する。ここで、図４は、本実施形態における組電池を構成する所定電池を前方から見た図である。図５は、図５における組電池を構成する所定電池を右方から見た図である。図６は、比較例の組電池を構成する所定電池を前方から見た図である。図７は、比較例の組電池を構成する所定電池を右方から見た図である。図中における前後方向、左右方向及び上下方向は、組電池を説明するために便宜的に導入したものである。また、図中における白抜き矢印は、冷媒の流通方向を示すものである。さらに、図５及び図７におけるバスバー及び冷却フィンは、電池一つ当たりのバスバー及び冷却フィンを表している。
【００３５】
図４に示すように、本実施形態における組電池１の冷却フィン１４〜１６は、左右方向の全長（ａ＋ｂ＋ｃ）が、６０ｍｍになるように設定されている。また、図５に示すように、前後方向に波状に４山形成されるように設定されている。これに対し、比較例における組電池１’は、従来のように、上面側に冷却フィン１４’〜１６’が配設されたバスバー１１’〜１３’を正極端子１０１’及び負極端子１０２’の上方端部に溶接するものである。電池１０’は、電池１０と同一である。図６に示すように、冷却フィン１４’〜１６’は、左右方向の全長が図４における冷却フィン１４〜１６と同一寸法となるように設定されている。また、図７に示すように、上方側から溶接するため、冷却フィン１４’〜１６’の一部を部分的に削除している。そのため、前後方向に波状に２山しか形成することができない。
【００３６】
このように構成された本実施形態の組電池１及び比較例の組電池１’に、各電池１０、１０’毎に２Ｗの発熱をさせた状態で、冷媒としての空気を２ｍ3／時の流量で流通させ、ケース１００、１００’の温度を測定した。
【００３７】
【表１】
0005141965.tif 000002
表１に示すように、本実施形態における組電池１のケース１００の温度は、４６℃であった。これに対し、従来の構成である比較例における組電池１’のケース１００’の温度は、５３℃であった。
【００３８】
最後に、効果について説明する。本実施形態によれば、冷却フィン１４〜１６は、バスバー１１〜１３の下面に配設されている。そのため、バスバー１１〜１３の上方側には何も配設されておらず、充分な作業スペースがある。これにより、バスバー１１〜１３と正極端子１０１及び負極端子１０２とを上方側から確実に溶接することができる。従って、従来のように、作業スペースを確保するために、バスバーの上方側に設けられた冷却フィンを部分的に削除する必要もない。これにより、表１に示すように、車両に搭載される組電池１の冷却性能を低下させることなく、バスバー１１〜１３の組付け性を向上させることができる。また、冷却フィン１４〜１６が、バスバー１１〜１３の下面に配設されていることから、従来のように、バスバーの上面に配設される場合に比べ、端子突出方向の寸法を小さくすることができる。そのため、車両に搭載される組電池１を小型化することもできる。
【００３９】
また、本実施形態によれば、バスバー１１〜１３と正極端子１０１及び負極端子１０２とは、同一の材料同士で溶接が行われることとなる。そのため、バスバー１１〜１３と正極端子１０１及び負極端子１０２とを容易に溶接でき、確実に電気的に接続することができる。
【００４０】
また、本実施形態によれば、バスバー１１〜１３は、上面側に、正極端子１０１と同一材料であるアルミニウムと、負極端子１０２と同一材料である銅とがともに露出している。そのため、バスバー１１〜１３の上面側から、バスバー１１〜１３と正極端子１０１及び負極端子１０２とを同一の材料同士で容易に溶接することができる。
【００４１】
さらに、本実施形態によれば、冷却フィン１４〜１６は、バスバー１１〜１３の下面側を構成する第１板部１１０、１２０、１３０と同一材料であるアルミニウムによって構成されている。そのため、冷却フィン１４〜１６をバスバー１１〜１３に容易に溶接でき、確実に熱的に接続することができる。
【００４２】
加えて、本実施形態によれば、互いに対向する冷却フィン１４〜１６及びケース１００の表面に、それぞれ絶縁部１４０、１５０、１６０、１０３がそれぞれ形成されている。そのため、冷却フィン１４〜１６とケース１００との短絡を防止することができる。
【００４３】
なお、本実施形態では、互いに対向する冷却フィン１４〜１６及びケース１００の表面に、それぞれ絶縁部１４０、１５０、１６０、１０３がそれぞれ形成されている例を挙げているが、これに限られるものではない。冷却フィン及びケースの少なくとも一方に絶縁部が形成されていればよい。また、冷却フィンに絶縁部が形成される場合、バスバーにも絶縁部を形成するとより好ましい。
【００４４】
また、本実施形態では、第１板部１１０、１２０、１３０と第２板部１１１、１２１、１３１とが、アルミニウムと銅とを圧延又は鍛造により圧接接合したクラッド材で構成されている例を挙げているが、これに限られるものではない。例えば、アルミニウムからなる第１板部と銅からなる第２板部とを、抵抗溶接やレーザー溶接等により溶接して構成してもよい。
【００４５】
また、本実施形態では、第１板部１１０、１２０、１３０と冷却フィン１４〜１６とが、ともにアルミニウムからなり、第２板部１１１、１２１、１３１が銅からなる例を挙げているが、これに限られるものではない。第１板部と冷却フィンとが銅からなり、第２板部がアルミニウムからなっていてもよい。また、第１板部、第２板部及び冷却フィンが、これら以外の材料からなっていてもよい。材質が限定されるものではない。
【００４６】
また、本実施形態では、冷媒として空気を用いた例を挙げているが、これに限られるものではない。冷媒は、空気以外の気体であってもよい。また、液体であってもよい。
【００４７】
さらに、本実施形態では、冷媒によって組電池を冷却する例を挙げているが、これに限られるものではない。温度の高い熱媒体によって組電池を加熱して温度を調整するようにしてもよい。
【００４８】
加えて、本実施形態では、リチウムイオン電池からなる組電池の例を挙げているが、これに限られるものではない。他の２次電池からなる組電池であってもよい。
【図面の簡単な説明】
【００４９】
【図１】本実施形態における組電池の斜視である。
【図２】図１に対してバスバー及び冷却フィンが接続されていない状態の組電池の斜視図である。
【図３】図１における端子周辺の拡大部分断面図である。
【図４】組電池を構成する所定電池を前方から見た図である。
【図５】図５における組電池を構成する所定電池を右方から見た図である。
【図６】比較例の組電池を構成する所定電池を前方から見た図である。
【図７】図６における組電池を構成する所定電池を右方から見た図である。
【符号の説明】
【００５０】
１・・・組電池、１０・・・電池、１００・・・ケース（電池容器）、１０１・・・正極端子（端子）、１０２・・・負極端子（端子）、１０３・・・絶縁部、１１〜１３・・・バスバー（接続部材）、１１０、１２０、１３０・・・第１板部、１１１、１２１、１３１・・・第２板部、１１２、１１３、１２２、１２３、１３２、１３３・・・孔部、１１４、１１５・・・溶接部、１４〜１６・・・冷却フィン（熱伝導部材）、１４０、１５０、１６０・・・絶縁部
【図１】
0005141965.tif 000003
【図２】
0005141965.tif 000004
【図３】
0005141965.tif 000005
【図４】
0005141965.tif 000006
【図５】
0005141965.tif 000007
【図６】
0005141965.tif 000008
【図７】
0005141965.tif 000009